(57)【要約】【課題】ショルダーパッドがハーネスカバーと一体化されているか否かに関らず、ショルダーハーネスに対するショルダーパッドの幅方向への位置ずれを防止する。【解決手段】車両用チャイルドシート１０では、ハーネスカバー１６の長手方向両端部に形成された一対の挿通孔４８にショルダーハーネス３０が挿通されている。これにより、ハーネスカバー１６がショルダーハーネス３０に対して長手方向に摺動可能に取り付けられている。このハーネスカバー１６の内部には、長尺状に形成されたショルダーパッド１８が収容されている。このショルダーパッド１８は、長手方向両端部に設けられた一対の連結部（内側ガイド部８０及び一対のガイド爪８４）において、ショルダーハーネス３０に対し長手方向に摺動可能に連結されている。【選択図】図３
2014104943.tif 000002
【特許請求の範囲】
【請求項１】
乗員が着座するシート本体と、
前記シート本体に乗員を拘束すると共に、乗員の肩部と対向する長尺帯状のショルダーハーネスを含むシートベルトと、
長尺な袋状に形成され、長手方向両端部に形成された一対の挿通孔に前記ショルダーハーネスが挿通されることにより前記ショルダーハーネスに対して長手方向に摺動可能に取り付けられたハーネスカバーと、
長尺状に形成されて前記ハーネスカバー内に収容され、乗員の肩部と前記ショルダーハーネスとの間に前記ショルダーハーネスの長手方向に沿って介在されると共に、長手方向両端部に設けられた一対の連結部が前記ショルダーハーネスに対して長手方向に摺動可能に連結されたショルダーパッドと、
を備えた車両用チャイルドシート。
【請求項２】
前記ショルダーパッドは、
可撓性を有する材料によって形成され、長尺板状に形成された板状部を有すると共に、前記板状部におけるショルダーハーネス側の面に設けられ、前記板状部の長手方向に間隔をあけて並んだ複数の保持部を有する保持部材と、
それぞれが前記保持部材よりも硬質な材料によって形成され、前記複数の保持部のそれぞれに保持された複数の硬質部材と、
を有し、
前記板状部の長手方向両端部に位置する一対の前記硬質部材に前記連結部が設けられている請求項１に記載の車両用チャイルドシート。
【請求項３】
前記連結部は、前記ショルダーハーネスにおける乗員側の面と対向する内側ガイド部と、前記ショルダーハーネスにおける乗員とは反対側の面と対向する外側ガイド部とを有しており、前記外側ガイド部が前記内側ガイド部に対して前記板状部の長手方向中央側にずれている請求項２に記載の車両用チャイルドシート。
【請求項４】
前記外側ガイド部は、前記ショルダーハーネスの幅方向に分割された一対のガイド爪によって構成されている請求項３に記載の車両用チャイルドシート。
【請求項５】
前記内側ガイド部には、前記保持部材の長手方向中央側へ向けて前記板状部からの突出高さを減少させるように傾斜又は湾曲したガイド面が設けられている請求項３又は請求項４に記載の車両用チャイルドシート。
【請求項６】
前記ハーネスカバーには、前記連結部に対する前記ショルダーハーネスの連結状態を目視するための窓部が設けられている請求項１〜請求項５の何れか１項に記載の車両用チャイルドシート。
【請求項７】
前記連結部は、前記ショルダーハーネスとは異なる色を呈している請求項６に記載の車両用チャイルドシート。
【請求項８】
前記窓部は、前記挿通孔である請求項６又は請求項７に記載の車両用チャイルドシート。
【発明の詳細な説明】
【技術分野】
【０００１】
本発明は、シートベルトにショルダーパッドが取り付けられる車両用チャイルドシートに関する。
【背景技術】
【０００２】
下記特許文献１には、車両用チャイルドシートに設けられたシートベルト用のショルダーパッドが記載されている。このショルダーパッドは、子供の乗員の肩部に当接するようにショルダーストラップ（ショルダーハーネス）の下に位置決めされる本体部と、シートバックへの係留用のテザーストラップと、本体部とテザーストラップとを連結した二股状のヨークとを有している。二股状のヨークの間には、ショルダーハーネスが挿通されており、テザーストラップは、ショルダーハーネスの上をシート後方側へ延びている。また、このショルダーパッドは、織物のカバーによって一部が囲まれている。
【０００３】
上記のショルダーパッドでは、事故の際に、本体部に設けられた摩擦増加面をショルダーハーネスと係合させることにより、ショルダーハーネスに対する摩擦抵抗を増加させ、子供の前方への動きを制限するようにしている。また、このショルダーパッドでは、該ショルダーパッドの一部を覆う織物のカバーによってショルダーハーネスに対する横方向の変位（幅方向の位置ずれ）を妨げるようにしている。
【先行技術文献】
【特許文献】
【０００４】
【特許文献１】特開２００３−２７６５５９号公報
【発明の概要】
【発明が解決しようとする課題】
【０００５】
上記特許文献１の記載からは、ショルダーパッドと織物のカバーとが一体化されているか否かが明らかではないが、少なくとも脆弱な織物のカバーによっては、ショルダーハーネスに対するショルダーパッドの幅方向への位置ずれを十分に抑制できない可能性がある。ショルダーパッドがショルダーハーネスに対して幅方向に位置ずれすると、ショルダーパッドの機能が十分に発揮されなくなる可能性があるため、これを改善する余地がある。
【０００６】
本発明は上記事実を考慮し、ショルダーパッドがハーネスカバーと一体化されているか否かに関らず、ショルダーハーネスに対するショルダーパッドの幅方向への位置ずれを防止又は効果的に抑制できる車両用チャイルドシートを得ることを目的とする。
【課題を解決するための手段】
【０００７】
請求項１に記載の発明に係る車両用チャイルドシートは、乗員が着座するシート本体と、前記シート本体に乗員を拘束すると共に、乗員の肩部と対向する長尺帯状のショルダーハーネスを含むシートベルトと、長尺な袋状に形成され、長手方向両端部に形成された一対の挿通孔に前記ショルダーハーネスが挿通されることにより前記ショルダーハーネスに対して長手方向に摺動可能に取り付けられたハーネスカバーと、長尺状に形成されて前記ハーネスカバー内に収容され、乗員の肩部と前記ショルダーハーネスとの間に前記ショルダーハーネスの長手方向に沿って介在されると共に、長手方向両端部に設けられた一対の連結部が前記ショルダーハーネスに対して長手方向に摺動可能に連結されたショルダーパッドと、を備えている。
【０００８】
請求項１に記載の発明では、長尺な袋状に形成されたハーネスカバーの長手方向両端部に一対の挿通孔が形成されており、これらの挿通孔にショルダーハーネスが挿通されている。これにより、ハーネスカバーがショルダーハーネスに対して長手方向に摺動可能に取り付けられている。このハーネスカバーの内部には、長尺状に形成されたショルダーパッドが収容されており、該ショルダーパッドの長手方向両端部に設けられた一対の連結部が、ショルダーハーネスに対して長手方向に摺動可能に連結されている。このように、ショルダーパッドが、ハーネスカバーとは別に、自らの長手方向両端部においてショルダーハーネスに連結されている。このため、ショルダーパッドがハーネスカバーと一体化されているか否かに関らず、ショルダーハーネスに対するショルダーパッドの幅方向への位置ずれを防止又は効果的に抑制することができる。また、ハーネスカバーとショルダーパッドの両方が、ショルダーハーネスに対して長手方向に摺動可能であるため、乗員の肩部に対するハーネスカバー及びショルダーパッドの位置を容易に調節することができる。
【０００９】
請求項２に記載の発明に係る車両用チャイルドシートは、請求項１において、前記ショルダーパッドは、可撓性を有する材料によって形成され、長尺板状に形成された板状部を有すると共に、前記板状部におけるショルダーハーネス側の面に設けられ、前記板状部の長手方向に間隔をあけて並んだ複数の保持部を有する保持部材と、それぞれが前記保持部材よりも硬質な材料によって形成され、前記複数の保持部のそれぞれに保持された複数の硬質部材と、を有し、前記板状部の長手方向両端部に位置する一対の前記硬質部材に前記連結部が設けられている。
【００１０】
請求項２に記載の発明では、乗員の肩部と前記ショルダーハーネスとの間に介在されるショルダーパッドが、保持部材と複数の硬質部材とを有している。保持部材は、長尺板状の板状部を有しており、該板状部におけるショルダーハーネス側の面に設けられた複数の保持部に、複数の硬質部材が保持されている。これらの硬質部材のうち、板状部の長手方向両端部に位置する一対の硬質部材には、それぞれ連結部が設けられており、これらの連結部がショルダーハーネスに摺動可能に連結されている。
【００１１】
この発明では、複数の硬質部材と乗員の肩部との間に、保持部材の板状部が介在される。これにより、複数の硬質部材のゴツゴツとした感触によって乗員に違和感を与えないようにすることができる。しかも、この保持部材は、可撓性を有する材料によって形成されているため、板状部における複数の硬質部材の間の部分がヒンジとして機能することにより、板状部を乗員の肩部に良好にフィットさせることができる。これにより、乗員の快適性を確保することができる。また、車両衝突時には、ショルダーハーネスと板状部との間に位置する複数の硬質部材によって、乗員の肩部からの荷重を良好に支持することができるため、乗員拘束性を良好にすることができる。さらに、複数の硬質部材がショルダーハーネスと接するため、ショルダーパッドがショルダーハーネスに対して摺動される際の摺動抵抗（摩擦抵抗）を小さくすることができる。また、複数の硬質部材の材質や形状を適宜変更することにより、エネルギ吸収特性を容易に設定変更することができる。
【００１２】
請求項３に記載の発明に係る車両用チャイルドシートは、請求項２において、前記連結部は、前記ショルダーハーネスにおける乗員側の面と対向する内側ガイド部と、前記ショルダーハーネスにおける乗員とは反対側の面と対向する外側ガイド部とを有しており、前記外側ガイド部が前記内側ガイド部に対して前記板状部の長手方向中央側にずれている。
【００１３】
請求項３に記載の発明では、ショルダーパッドの連結部が内側ガイド部と外側ガイド部とを有しており、内側ガイド部がショルダーハーネスにおける乗員側の面と対向し、外側ガイド部がショルダーハーネスにおける乗員とは反対側の面と対向する。つまり、内側ガイド部と外側ガイド部との間にショルダーハーネスが摺動可能に挿通されるため、ショルダーパッドとショルダーハーネスとを良好に連結することができる。しかも、反乗員側ガイドは、乗員側ガイドに対して、保持部材の板状部の長手方向中央側にずれている。これにより、ショルダーパッドをショルダーハーネスに対して摺動させる際の摺動抵抗を小さくすることができる。
【００１４】
請求項４に記載の発明に係る車両用チャイルドシートは、請求項１〜請求項３の何れか１項において、前記外側ガイド部は、前記ショルダーハーネスの幅方向に分割された一対のガイド爪によって構成されている。
【００１５】
請求項４に記載の発明では、ショルダーパッドの連結部に設けられ、ショルダーハーネスにおける乗員とは反対側の面と対向する外側ガイド部が、ショルダーハーネスの幅方向に分割された一対のガイド爪によって構成されている。これにより、ショルダーハーネスをショルダーパッドの連結部に連結する際には、一対のガイド爪の間からショルダーハーネスの長手方向中間部を挿入することができるため、連結作業（ショルダーパッドの取付け取外し作業）を容易に行うことができる。
【００１６】
請求項５に記載の発明に係る車両用チャイルドシートは、請求項１〜請求項４の何れか１項において、前記内側ガイド部には、前記保持部材の長手方向中央側へ向けて前記板状部からの突出高さを漸減させるように傾斜又は湾曲したガイド面が設けられている。
【００１７】
請求項５に記載の発明では、ショルダーパッドの連結部に設けられた内側ガイド部には、保持部材の長手方向中央側、すなわち外側ガイド部がずれた側へ向けて板状部からの突出高さを漸減するように傾斜又は湾曲したガイド面が設けられている。このガイド面が、内側ガイド部と外側ガイド部との間に挿通されたショルダーハーネスと摺接することにより、ショルダーハーネスに対するショルダーパッドの摺動抵抗を効果的に低減することができる。
【００１８】
請求項６に記載の発明に係る車両用チャイルドシートは、請求項１〜請求項５の何れか１項において、前記ハーネスカバーには、前記連結部に対する前記ショルダーハーネスの連結状態を目視するための窓部が設けられている。
【００１９】
請求項６に記載の発明では、ハーネスカバー内に収容されたショルダーパッドの連結部に対するショルダーハーネスの連結状態を、ハーネスカバーに設けられた窓部を介して目視することができる。これにより、ショルダーパッドがショルダーハーネスに正しく連結されているか否かを容易に確認することができる。
【００２０】
請求項７に記載の発明に係る車両用チャイルドシートは、請求項６において、前記連結部は、前記ショルダーハーネスとは異なる色を呈している。
【００２１】
請求項７に記載の発明では、ショルダーパッドの連結部が、該連結部に連結されるショルダーハーネスとは異なる色を呈しているため、ハーネスカバーの窓部を介して連結部に対するショルダーハーネスの連結状態を目視にて容易に確認することができる。
【００２２】
請求項８に記載の発明に係る車両用チャイルドシートは、請求項６又は請求項７において、前記窓部は、前記挿通孔である。
【００２３】
請求項８に記載の発明では、ハーネスカバーにおいてショルダーハーネスが挿通された挿通孔が、ショルダーパッドの連結部に対するショルダーハーネスの連結状態を目視するための窓部とされている。このように、挿通孔が窓部として共用されているため、ハーネスカバーの構成を簡素化することができる。
【発明の効果】
【００２４】
以上説明したように、本発明に係る車両用チャイルドシートでは、ショルダーパッドがハーネスカバーと一体化されているか否かに関らず、ショルダーハーネスに対するショルダーパッドの幅方向への位置ずれを防止又は効果的に抑制できる。
【図面の簡単な説明】
【００２５】
【図１】本発明の実施形態に係る車両用チャイルドシートが車両用シートに取り付けられた状態を斜め前方側から見た斜視図である。
【図２】同車両用チャイルドシートを斜め後方から見た斜視図である。
【図３】同車両用チャイルドシートの部分的な構成を示し、同車両用チャイルドシートのシートベルトによって乗員が拘束された状態をシート幅方向から見た断面図である。
【図４】同車両用チャイルドシートが備えるハーネスカバーを示す斜視図である。
【図５】ハーネスカバーと、ハーネスカバー内に収容されるショルダーパッドとを示す斜視図である。
【図６】ショルダーパッドの拡大斜視図である。
【図７】ショルダーパッドの分解斜視図である。
【図８】ショルダーパッドの構成部材である保持部材を裏面側から見た斜視図である。
【図９】ショルダーパッドにおけるショルダーハーネスの連結部周辺の構成を示す拡大断面図である。
【図１０】ショルダーパッドを内部に収容したハーネスカバーをショルダーハーネスに取り付ける際の取り付け方を説明するための斜視図である。
【図１１】ハーネスカバーの挿通孔にショルダーハーネスが挿通されると共に、ショルダーパッドの一対のガイド爪がショルダーハーネスに係合した状態を示す拡大斜視図である。
【図１２】ショルダーハーネスに取り付けられたハーネスカバーに対してショルダーパッドを出し入れする際の状況を説明するための斜視図である。
【図１３】本実施形態におけるショルダーパッドの比較例を示す図９に対応した断面図である。
【発明を実施するための形態】
【００２６】
以下、図１〜図１３を用いて本発明の実施形態に係る車両用チャイルドシート１０について説明する。なお、各図中に適宜示される矢印ＦＲは車両前方向を示し、矢印ＵＰは車両上方向を示し、矢印Ｗは車両幅方向を示している。
【００２７】
（全体構成）
図１及び図２に示されるように、本実施形態に係る車両用チャイルドシート１０は、シート本体１２を備えている。このシート本体１２には、シートベルト１４が設けられており、該シートベルト１４には、左右一対のハーネスカバー１６が取り付けられている。これらのハーネスカバー１６の内部には、それぞれショルダーパッド１８（図３参照）が収容されている。以下、各構成要素について説明する。
【００２８】
（シート本体１２の構成）
シート本体１２は、乳児又は幼児の乗員Ｐ（図３参照）が着座するシートクッション２０と、乗員Ｐの背凭れとなるシートバック２２とを備えている。このシート本体１２は、国際標準規格であるＩＳＯＦＩＸに対応したベース２４（図１参照）を介して車両用シート２６に固定されている。なお、シート本体１２の固定方法は上記に限らず、車両又は車両用シート２６に設けられたシートベルトによって、シート本体１２が車両用シート２６に固定される構成にしてもよい。
【００２９】
（シートベルト１４の構成）
シートベルト１４は、シート本体１２に乗員Ｐを拘束するためのものであり、図１に示される如くクロッチストラップ２８と左右一対のショルダーハーネス３０とを有している。クロッチストラップ２８及び左右のショルダーハーネス３０は、何れも長尺帯状に形成されている。クロッチストラップ２８の長手方向一端部は、シートクッション２０の中央部付近に固定されており、クロッチストラップ２８の長手方向他端部には、バックル３２が固定されている。
【００３０】
左側のショルダーハーネス３０は、長手方向一端部がシートクッション２０の左側部の後端部に固定されており、右側のショルダーハーネス３０は、長手方向一端部がシートクッション２０の右側部の後端部に固定されている。また、左右のショルダーハーネス３０は、長手方向他端側がシートバック２２に形成された左右一対のスロット３４（ショルダーハーネス通し穴）に挿通されてシートバック２２の背面側へ引き出されている。左右のスロット３４は、シートバック２２の高さ方向に複数（ここでは３対）並んで形成されており、乗員Ｐの座高に合致したスロット３４にショルダーハーネス３０が挿通される。
【００３１】
図２に示されるように、シートバック２２の背面側へ引き出された左右のショルダーハーネス３０の長手方向他端部には、それぞれ係止部３０Ａが設けられている。各係止部３０Ａは、左右のショルダーハーネス３０の長手方向他端部が折り返されて縫製されることによりループ状に形成されている。これらの係止部３０Ａは、シートバック２２の背面側に設けられた略Ｔ字状の係止金具であるハンガー３６に係脱自在に係止される。このハンガー３６には、調節用ベルトであるハーネスアジャスター３８の長手方向一端部が固定されている。このハーネスアジャスター３８は、シートクッション２０の底面側へ延びており、長手方向他端部がシートクッション２０の前面側へ引き出されている（図１参照）。
【００３２】
左右のショルダーハーネス３０の長手方向中間部には、シートバック２２の前面側において、それぞれタングプレート４０が摺動可能に取り付けられている。シート本体１２に着座した乗員Ｐがシートベルト１４を装着する際には、左右のショルダーハーネス３０を左右の肩部Ｓに掛け回し（図３参照）、左右のタングプレート４０を組み合わせてバックル３２に連結する。次いで、ハーネスアジャスター３８をシートクッション２０の前方側へ引っ張ると、ハンガー３６に係止されている左右のショルダーハーネス３０の長手方向他端部が下方側へ引っ張られ、左右のショルダーハーネス３０の長手方向中間部の弛みが除去される。これにより、乗員Ｐのシートベルト装着状態となる。この装着状態では、左右のショルダーハーネス３０が乗員Ｐの左右の肩部Ｓと対向する（図３参照）。
【００３３】
（ハーネスカバー１６の構成）
左右のハーネスカバー１６は、可撓性を有するシート状の材料（ここでは図４及び図５に示される布材４６）が縫製されて形成されたものであり、乗員Ｐの左右の肩部Ｓと接するように左右のショルダーハーネス３０に取り付けられている。左右のハーネスカバー１６は、図４に示されるようにストラップ４１によって連結されている。
【００３４】
各ハーネスカバー１６は、図５に示されるように、長尺な袋状に形成された本体部４２を備えている。この本体部４２は、略矩形状に切り出された布材４６が折れ線Ｌに沿って折られると共に、折れ線Ｌを介した布材４６の一側部分４６Ａと他側部分４６Ｂとが、本体部４２の長手方向両端部に位置する縫製部Ｔ１、Ｔ２において縫製されることにより形成されている。
【００３５】
本体部４２の長手方向両端部には、一対の挿通孔４８が形成されている。一対の挿通孔４８は、布材４６の一側部分４６Ａに形成されており、本体部４２の幅方向に沿って長尺な長孔状に形成されている。これらの挿通孔４８には、ショルダーハーネス３０の長手方向中間部におけるスロット３４とタングプレート４０との間の部位（以下、拘束部３０Ｂという）が挿通されている。これにより、本体部４２がショルダーハーネス３０に対して長手方向に摺動可能に取り付けられている。この取付状態では、本体部４２の長手方向とショルダーハーネス３０の長手方向とが一致すると共に、本体部４２の幅方向とショルダーハーネス３０の幅方向とが一致する。
【００３６】
この本体部４２の幅方向一端部（折れ線Ｌとは反対側の端部）は縫製されておらず、ショルダーハーネス３０の幅方向一側へ開口した開口部５０が形成されている。この開口部５０は、本体部４２の長手方向を長手とする長尺状に形成されている。この開口部５０の長手方向両端側では、布材４６の一側部分４６Ａと他側部分４６Ｂとがショルダーパッド脱落防止用の縫製部Ｔ３、Ｔ４（図５参照）において縫製されている。これにより、開口部５０の長さ寸法が、本体部４２の長さ寸法よりも短くなっている。なお、縫製部Ｔ３、Ｔ４の部分まで縫製部Ｔ１、Ｔ２が延長されることにより、縫製部Ｔ３、Ｔ４が省略される構成にしてもよい。
【００３７】
上記本体部４２における開口部５０の縁部からは、扉部５２が延出されている。この扉部５２は、布材４６の他側部分４６Ｂによって構成されている。この扉部５２は、図４に示されるように、開口部５０及び一対の挿通孔４８を覆うように本体部４２側へ折り返され、扉係止部としての一対のスナップボタン５４によって本体部４２に係止される。各スナップボタン５４は、本体部４２に固定された凸部材５６と、扉部５２に固定された凹部材５８とによって構成されており、凸部材５６と凹部材５８とが分離可能に係合することによって扉部５２が本体部４２に係止される。なお、扉係止部としては、上記に限らず適宜変更可能である。例えば、面ファスナー等を扉係止部として用いることができる。
【００３８】
さらに、図３に示されるように、上記本体部４２において、乗員Ｐの肩部Ｓと対向する面（布材４６の他側部分４６Ｂにおいて一側部分４６Ａとは反対側の面）には、シート状に形成された滑り止め部６０が取り付けられている。この滑り止め部６０は、例えば合成皮革によって形成されており、縫製等の手段によって本体部４２に固定されている。この滑り止め部６０は、乗員Ｐの肩部Ｓと接する表面の摩擦係数が、本体部４２の表面の摩擦係数よりも高く設定されている。
【００３９】
また、図５に示されるように、本体部４２には、開口部５０の縁部において扉部５２が延出された側とは反対側（一側部分４６Ａによって構成された部分）に、切欠部６２が形成されている。この切欠部６２は、本体部４２の長手方向中央部に形成されており、折れ線Ｌ側へ向けて略矩形状に切り欠かれている。
【００４０】
なお、図４に示されるように、左右のハーネスカバー１６は、左右対称に形成されている。これらのハーネスカバー１６は、シートバック２２の背面側から左右のスロット３４に挿通されてシートバック２２の前面側へ引き出される。これにより、図２に示される如くストラップ４１の長手方向中間部がシートバック２２の背面側に引っ掛かり、左右のハーネスカバー１６がシートバック２２に連結される。これら左右のハーネスカバー１６の内部には、それぞれショルダーパッド１８が収容されている。
【００４１】
（ショルダーパッド１８の構成）
図６及び図７に示されるように、ショルダーパッド１８は、ハーネスカバー１６とは別体に構成されている。このショルダーパッド１８は、可撓性を有する材料（ここではエストラマー系のゴム）によって形成された保持部材６４と、保持部材６４の材料よりも硬質な材料（ここではポリプロピレン等の樹脂）によって形成された複数（ここでは７つ）のインサート６８（硬質部材）とによって形成されている。
【００４２】
保持部材６４は、図７及び図８に示されるように、長尺板状に形成された板状部７０と、板状部７０の一方の面に形成された複数（ここでは７つ）の保持部７２とによって構成されており、全体として長尺な略板状に形成されている。
【００４３】
複数の保持部７２は、板状部７０の長手方向に間隔をあけて並んでいる。各保持部７２は、板状部７０の幅方向両端部から突出した一対の突出部７４と、一対の突出部７４を板状部７０の幅方向に連結した一対のズレ止め部７６とを備えており、板状部７０の板厚方向から見て枠状に形成されている。
【００４４】
各突出部７４は、板状部７０の長手方向に沿って長尺状に形成されており、板状部７０の幅方向内側へ向けて開口している。また、一対の突出部７４の間隔は、ショルダーハーネス３０の幅寸法よりも広く設定されている。一対のズレ止め部７６は、一対の突出部７４よりも板状部７０からの突出高さが低く設定されており、一対の突出部７４の長手方向両端部間に掛け渡されている。
【００４５】
図８に示されるように、板状部７０には、各突出部７４と対向する部位にそれぞれ略矩形状の貫通孔７８が形成されている。これらの貫通孔７８には、保持部材６４の成形時に、各突出部７４を成形するために金型に設けられた凸部が挿入される。これにより、スライド型を用いずに保持部材６４を成形できるようになっている。
【００４６】
一方、複数のインサート６８は、保持部材６４の長手方向両端部に位置する一対の保持部７２に保持された一対の連結用インサート６８Ａ（連結用の硬質部材）と、一対の保持部７２の間に位置する複数（ここでは５つ）の保持部７２にそれぞれ保持された複数の非連結用インサート６８Ｂ（非連結用の硬質部材）とによって構成されている。連結用インサート６８Ａ及び非連結用インサート６８Ｂは、板状部７０の幅方向を長手とする長尺状に形成されており、長さ寸法がショルダーハーネス１８の幅寸法よりも十分に大きく設定されている。
【００４７】
一対の連結用インサート６８Ａは、板状部７０の幅方向を長手とする長尺な略角柱状に形成された内側ガイド部８０と、内側ガイド部８０の長手方向両端部から略鍔状に延出された一対の側壁部８２と、一対の側壁部８２から互いに接近する方向へ突出した一対のガイド爪８４（外側ガイド部）と、一対の側壁部８２における内側ガイド部８０とは反対側の面から突出した一対の嵌合部８６とによって構成されている。内側ガイド部８０と一対のガイド爪８４は、ショルダーパッド１８をショルダーハーネス３０に摺動可能に連結するための連結部を構成しており、一対のガイド爪８４（外側ガイド部）がショルダーハーネス３０の幅方向に分割された構成になっている。
【００４８】
各連結用インサート６８Ａにおける一対の嵌合部８６（長手方向両端部）は、保持部材６４の長手方向端部に位置する保持部７２における一対の突出部７４の内側に嵌合している。また、各連結用インサート６８Ａは、一対のズレ止め部７６の間に嵌っており、板状部７０の長手方向への変位を規制されている。これにより、各連結用インサート６８Ａが保持部材６４の長手方向端部に保持されている。
【００４９】
上記一対の連結用インサート６８Ａは、同一の形状に形成されており、一対のガイド爪８４が内側ガイド部８０に対して板状部７０の長手方向にずれると共に、板状部７０から離れる方向にずれている。但し、一対の連結用インサート６８Ａは、保持部材６４に取り付けられる方向が相違しており、一対のガイド爪８４が内側ガイド部８０に対して板状部７０の長手方向中央側に位置するように保持部材６４に取り付けられている。
【００５０】
また、図９に示されるように、各連結用インサート６８Ａの内側ガイド部８０には、保持部材６４の長手方向中央側へ向かうほど板状部７０からの突出高さを減少させるように傾斜又は湾曲（ここでは傾斜）したガイド面８０Ａが設けられており、当該ガイド面８０Ａが一対のガイド爪８４と対向している。
【００５１】
一方、非連結用インサート６８Ｂは、長尺板状に形成された部材本体９０と、部材本体９０の両面に設けられたリブ部９２とによって構成されている。この非連結用インサート６８Ｂは、部材本体９０の両面側が同一の構成とされており、全体として長尺な略板状に形成されている。なお、本実施形態では、部材本体９０の長手方向に延びる３つの縦リブと部材本体９０の幅方向に延びる３つの横リブとが格子状（田の字状）に結合されてリブ部９２が構成されているが、これに限らず、リブ部の形状は適宜変更可能である。
【００５２】
複数の非連結用インサート６８Ｂは、各々に対応する保持部７２における一対の突出部７４の内側に長手方向両端部が嵌合している。また、複数の非連結用インサート６８Ｂは、各々に対応する保持部７２における一対のズレ止め部７６の間に嵌り込んでおり、板状部７０の長手方向への変位を規制されている。これにより、複数の非連結用インサート６８Ｂが一対の連結用インサート６８Ａの間において保持部材６４の長手方向中央側に取り付けられている。
【００５３】
（本実施形態の要部について）
上記構成のショルダーパッド１８は、ハーネスカバー１６の本体部４２内に収容されており、ハーネスカバー１６によって覆われている。図３に示されるように、ハーネスカバー１６内のショルダーパッド１８は、保持部材６４の長手方向（板状部７０の長手方向）がショルダーハーネス３０の拘束部３０Ｂの長手方向に沿い、且つ、複数のインサート６８が板状部７０に対してショルダーハーネス３０側に位置するように配置されている。このため、乗員Ｐがシートベルト１４を装着した状態では、乗員Ｐの肩部Ｓと複数のインサート６８との間に保持部材６４の板状部７０が介在される。なお、図３では、複数のインサート６８を概略的に記載している。
【００５４】
図３及び図９に示されるように、ショルダーハーネス３０の拘束部３０Ｂは、一対の連結用インサート６８Ａにおける一対のガイド爪８４と内側ガイド部８０との間に挿通されている。一対のガイド爪８４は、ショルダーハーネス３０における乗員側の面と対向（係合）し、内側ガイド部８０は、ショルダーハーネス３０における乗員とは反対側の面と対向（係合）する。これにより、ショルダーパッド１８がショルダーハーネス３０に対して長手方向にスライド可能に連結されると共に、ショルダーハーネス３０に対するショルダーパッド１８の幅方向の位置ずれが規制されている。ショルダーハーネス３０の拘束部３０Ｂは、一対の連結用インサート６８Ａの間の部分が非連結用インサート６８Ｂに接しており、ショルダーパッド１８がショルダーハーネス３０に対して長手方向に摺動される際には、非連結用インサート６８Ｂのリブ部９２がショルダーハーネス３０と摺接する。また、このショルダーパッド１８では、上述の如くショルダーハーネス３０に対する幅方向に位置ずれを規制されることにより、ゴム製の保持部材６４がショルダーハーネス３０に接しないように構成されている。
【００５５】
ショルダーパッド１８の大きさは、ハーネスカバー１６の本体部４２よりも若干小さく形成されており、ショルダーパッド１８は本体部４２内にガタ無く収容されるように構成されている。このため、ショルダーパッド１８は、ハーネスカバー１６と一体的にショルダーハーネス３０に対して長手方向に摺動される。
【００５６】
ハーネスカバー１６の一対の挿通孔４８（窓部）は、各連結用インサート６８Ａの一対のガイド爪８４と対向する位置に形成されており、各挿通孔４８を介して一対のガイド爪８４が本体部４２の外側に露出するようになっている。また、本実施形態では、一対の連結用インサート６８Ａ及び複数の非連結用インサート６８Ｂは、ショルダーハーネス３０とは異なる色を呈している。例えば、一対の連結用インサート６８Ａ及び複数の非連結用インサート６８Ｂがピンク色の樹脂によって成形されているのに対し、ショルダーハーネス３０が黒色の繊維によって形成されている。
【００５７】
また、ハーネスカバー１６の本体部４２には、前述したように開口部５０が形成されており、当該開口部５０からショルダーパッド１８を出し入れすることができる。但し、開口部５０の長さ寸法は、ショルダーパッド１８の長さ寸法よりも短く設定されており、ショルダーパッド１８を本体部４２に出し入れする際には、ショルダーパッド１８が曲げられる構成になっている。
【００５８】
（ハーネスカバー１６及びショルダーパッド１８の取付けについて）
前述したハーネスカバー１６及びショルダーパッド１８がショルダーハーネス３０に取り付けられる際には、先ず図５に矢印Ｅで示されるように、ハーネスカバー１６の開口部５０を介して本体部４２内にショルダーパッド１８が挿入される。次いで、ショルダーハーネス３０の係止部３０Ａ（長手方向他端部）が、図１０に矢印Ｆで示されるように、本体部４２の一方の挿通孔４８から本体部４２内に挿入され、他方の挿通孔４８から本体部４２の外側へ引き出される。この際には、各連結用インサート６８Ａの一対のガイド爪８４と内側ガイド部８０との間にショルダーハーネス３０が挿通される（図１１参照）。次いで、ハーネスカバー１６の扉部５２が本体部４２側へ折り返され、一対のスナップボタン５４によって本体部４２に係止される。
【００５９】
本体部４２の外側へ引き出されたショルダーハーネス３０の係止部３０Ａは、シートバック２２のスロット３４に挿通され、シートバック２２の背面側でハンガー３６に係止される。これにより、ハーネスカバー１６及びショルダーパッド１８のショルダーハーネス３０への取付けが完了する。
【００６０】
また、本実施形態では、ハーネスカバー１６がショルダーパッド１８を出し入れするための開口部５０を備えているため、図１２に示されるように、ハーネスカバー１６がショルダーハーネス３０に取り付けられた状態（以下、カバー取付状態という）においても、ハーネスカバー１６及びショルダーハーネス３０からショルダーパッド１８を取付け取外しすることができる。
【００６１】
例えば、カバー取付状態において、ハーネスカバー１６及びショルダーハーネス３０からショルダーパッド１８を取り外す際には、先ず、ハーネスカバー１６の扉部５２を開いて開口部５０及び一対の挿通孔４８を露出させる。次いで、一対のガイド爪８４の間からショルダーハーネス３０の拘束部３０Ｂを引き出すことにより、ショルダーハーネス３０に対するショルダーパッド１８の連結を解除する。次いで、ショルダーパッド１８を若干曲げつつ、開口部５０からハーネスカバー１６の外側へショルダーパッド１８を取り出す。
【００６２】
一方、カバー取付状態において、ハーネスカバー１６内にショルダーパッド１８を取り付ける際には、ショルダーパッド１８を若干曲げつつ、開口部５０からハーネスカバー１６の内側へショルダーパッド１８を挿入する。次いで、一対のガイド爪８４の間にショルダーハーネス３０の拘束部３０Ｂを挿入し、一対のガイド爪８４を拘束部３０Ｂの幅方向両端部に引っ掛ける。次いで、ハーネスカバー１６の扉部５２を本体部４２側へ折り返して一対のスナップボタン５４により本体部４２に係止する。
【００６３】
（作用及び効果）
次に、本実施形態の作用及び効果について説明する。
【００６４】
本実施形態では、長尺な袋状に形成されたハーネスカバー１６の長手方向両端部に一対の挿通孔４８が形成されており、これらの挿通孔４８にショルダーハーネス３０が挿通されている。これにより、ハーネスカバー１６がショルダーハーネス３０に対して長手方向に摺動可能に取り付けられている。このハーネスカバー１６の内部には、長尺状に形成されたショルダーパッド１８が収容されている。このショルダーパッド１８は、長手方向両端部に設けられた一対の連結部（内側ガイド部８０及び一対のガイド爪８４）において、ショルダーハーネス３０に対し長手方向に摺動可能に連結されている。
【００６５】
このように、ショルダーパッド１８が、ハーネスカバー１６とは別に、自らの長手方向両端部においてショルダーハーネス３０に連結されている。このため、ショルダーパッド１８がハーネスカバー１６と一体化されているか否かに関らず、ショルダーハーネス３０に対するショルダーパッド１８の幅方向への位置ずれを防止又は効果的に抑制することができる。また、ハーネスカバー１６とショルダーパッド１８の両方が、ショルダーハーネス３０に対して長手方向に摺動可能であるため、乗員Ｐの肩部Ｓに対するハーネスカバー１６及びショルダーパッド１８の位置を容易に調節することができる。
【００６６】
また、本実施形態では、複数のインサート６８と乗員Ｐの肩部Ｓとの間に、保持部材６４の板状部７０が介在される。これにより、複数のインサート６８のゴツゴツとした感触によって乗員Ｐに違和感を与えないようにすることができる。しかも、この保持部材６４は、可撓性を有する材料によって形成されているため、板状部７０における複数のインサート６８の間の部分がヒンジとして機能することにより、板状部７０を乗員Ｐの肩部Ｓに良好にフィットさせることができる。これにより、乗員Ｐの快適性を確保することができる。
【００６７】
また、車両衝突時には、ショルダーハーネス３０と板状部７０との間に位置する複数のインサート６８によって、乗員Ｐの肩部Ｓからの荷重を良好に支持することができるため、乗員拘束性を良好にすることができる。さらに、複数のインサート６８がショルダーハーネス３０と接するため、ショルダーパッド１８がショルダーハーネス３０に対して摺動される際の摺動抵抗（摩擦抵抗）を小さくすることができる。また、複数のインサート６８の材質や形状を適宜変更することにより、エネルギ吸収特性を容易に設定変更することができる。
【００６８】
さらに、本実施形態では、ショルダーパッド１８の連結部が内側ガイド８０部と一対のガイド爪８４（外側ガイド部）とを有しており、内側ガイド８０部がショルダーハーネス３０における乗員Ｐ側の面と対向し、一対のガイド爪８４がショルダーハーネス３０における乗員Ｐとは反対側の面と対向する。つまり、内側ガイド８０部と一対のガイド爪８４との間にショルダーハーネス３０が摺動可能に挿通されるため、ショルダーパッド１８とショルダーハーネス３０とを良好に連結することができる。しかも、一対のガイド爪８４は、内側ガイド部８０に対して、板状部７０の長手方向中央側にずれている（オフセットしている）。これにより、ショルダーパッド１８をショルダーハーネス３０に対して摺動させる際の摺動抵抗を小さくすることができる。
【００６９】
つまり、図１３に示される比較例（ショルダーパッド１８’）のように、一対のガイド爪８４が内側ガイド部８０’に対して板状部７０の長手方向中央側にずれていない場合（オフセットされていない場合）、一対のガイド爪８４が内側ガイド部８０’との間でショルダーハーネス３０の摺動抵抗が高くなるが、本実施形態ではこれを回避することができる。
【００７０】
また、本実施形態では、ショルダーハーネス３０における乗員Ｐとは反対側の面と対向する一対のガイド爪８４（外側ガイド部）が、ショルダーハーネス３０の幅方向に分割されている。これにより、ショルダーハーネス３０を連結用インサート６８Ａに連結する際には、一対のガイド爪８４の間からショルダーハーネス３０の長手方向中間部を挿入することができるため、連結作業（ショルダーパッド１８の取付け取外し作業）を容易に行うことができる。
【００７１】
さらに、本実施形態では、ショルダーパッド１８の内側ガイド８０部には、保持部材６４の長手方向中央側、すなわち一対のガイド爪８４がずれた側へ向けて板状部７０からの突出高さを減少させるように傾斜又は湾曲したガイド面８０Ａが設けられている。このガイド面８０Ａがショルダーハーネス３０と摺接することにより、ショルダーハーネス３０に対するショルダーパッド１８の摺動抵抗を効果的に低減することができる。
【００７２】
また、本実施形態では、ハーネスカバー１６内に収容されたショルダーパッド１８の連結用インサート６８Ａに対するショルダーハーネス３０の連結状態を、ハーネスカバー１６の挿通孔４８（窓部）を介して目視することができる。これにより、ショルダーパッド１８がショルダーハーネス３０に正しく連結されているか否かを容易に確認することができる。
【００７３】
しかも、連結用インサート６８Ａは、該連結用インサート６８Ａに連結されるショルダーハーネス３０とは異なる色を呈しているため、ハーネスカバー１６の挿通孔４８を介して連結用インサート６８Ａに対するショルダーハーネス３０の連結状態を目視にて容易に確認することができる。
【００７４】
また、ハーネスカバー１６においてショルダーハーネス３０が挿通された挿通孔４８が、連結用インサート６８Ａに対するショルダーハーネス３０の連結状態を目視するための窓部とされている。このように、挿通孔４８が窓部として共用されているため、ハーネスカバー１６の構成を簡素化することができる。
【００７５】
（実施形態の補足説明）
上記実施形態では、ハーネスカバー１６の一対の挿通孔４８が、連結用インサート６８Ａの内側ガイド部８０及び一対のガイド爪８４に対するショルダーハーネス３０の連結状態を目視するための窓部とされた構成にしたが、本発明はこれに限らず、一対の挿通孔以外の窓部がハーネスカバーに設けられる構成にしてもよい。また、前記の如き窓部が省略された構成にしてもよい。
【００７６】
また、上記実施形態では、内側ガイド部８０及び一対のガイド爪８４（連結部）が設けられた連結用インサート６８が、ショルダーハーネス３０とは異なる色に設定された構成にしたが、本発明はこれに限らず、連結部とショルダーハーネスとが同じ色に設定された構成にしてもよい。
【００７７】
また、上記実施形態では、内側ガイド部８０にガイド面８０Ａが設けられた構成にしたが、本発明はこれに限らず、内側ガイド部がガイド面を備えていない構成にしてもよい。
【００７８】
さらに、上記実施形態では、ショルダーハーネス３０の幅方向に分割された一対のガイド爪８４が外側ガイド部とされた構成にしたが、本発明はこれに限らず、外側ガイド部がショルダーハーネスの幅方向に分割されていない構成にしてもよい。
【００７９】
また、上記実施形態では、一対のガイド爪８４（外側ガイド部）が内側ガイド部８０に対して板状部７０の長手方向中央側にずれた構成にしたが、本発明はこれに限らず、図１３に示されるような構成にしてもよい。
【００８０】
また、上記実施形態では、ショルダーパッド１８の連結部が内側ガイド部８０と一対のガイド爪８４とによって構成された場合について説明したが、本発明はこれに限らず、連結部は、ショルダーパッドをショルダーハーネス３０に対して摺動可能に連結するものであればよく、その構成は適宜変更可能である。
【００８１】
また、上記実施形態では、ショルダーパッド１８が、ゴム製の保持部材６４と、該保持部材６４に取り付けられた複数の樹脂製のインサート６８（硬質部材）とを備えた構成にしたが、本発明はこれに限らず、ショルダーパッドの構成は適宜変更することができる。例えば、ショルダーパッドの全体がゴムによって形成された構成にしてもよい。
【００８２】
その他、本発明は、その要旨を逸脱しない範囲で種々変更して実施できる。また、本発明の権利範囲が上記実施形態に限定されないことは勿論である。
【符号の説明】
【００８３】
１０      車両用チャイルドシート
１２      シート本体
１４      シートベルト
１６      ハーネスカバー
１８      ショルダーパッド
３０      ショルダーハーネス
４８      挿通孔（窓部）
６４      保持部材
６８      インサート（硬質部材）
７０      板状部
７２      保持部
８０      内側ガイド部（連結部）
８０Ａ    ガイド面
８４      一対のガイド爪（連結部）
【図１】
2014104943.tif 000003
【図２】
2014104943.tif 000004
【図３】
2014104943.tif 000005
【図４】
2014104943.tif 000006
【図５】
2014104943.tif 000007
【図６】
2014104943.tif 000008
【図７】
2014104943.tif 000009
【図８】
2014104943.tif 000010
【図９】
2014104943.tif 000011
【図１０】
2014104943.tif 000012
【図１１】
2014104943.tif 000013
【図１２】
2014104943.tif 000014
【図１３】
2014104943.tif 000015